(57)【要約】【課題】  従来よりも、コンパクト化が可能で、しかも、折りたたみの操作が簡略な、折りたたみ可能な車椅子を提供する。【解決手段】  車椅子を構成するフレームの一つが、両端に固定用ピンが接続されたワイヤを引くことにより、固定状態が解除され、当該フレームを高さ方向に回動させることにより、他のフレームが当該フレームと連動して、高さ方向に回動し、高さ方向に折りたたむことが可能となるように、車椅子を構成する。固定用ピンは、圧縮バネなどの付勢手段で、収納部の外側に突出すようになっているが、折りたたみ状態から使用状態に復帰する際に、当該フレームの固定用ピンが嵌合する穴の近傍に設けられた傾斜部材により、収納部に押し戻され、嵌合穴の位置を通過する際に嵌合穴の方向に付勢され、嵌合する構造とする。【選択図】図１
2014184106.tif 000002
【特許請求の範囲】
【請求項１】
（１）横用棒状部材の両端に、縦用棒状部材を略垂直に接合してなる、略コ字形状の背もたれ用フレームと、
（２）前記縦用棒状部材の端部のそれぞれに固定して接合されてなる、一対の取付基板と、
（３）略コ字形状を有し、前記一対の取付基板にそれぞれ設けられてなる第一の回動軸を介して、両端部が前記取付基板に回動可能に接合されてなる座面用フレームと、
（４）一対の第一の棒状部材を、少なくとも１本の連結用棒状部材で接合してなり、前記一対の第一の棒状部材のそれぞれの一方の端が、前記一対の取付基板のそれぞれに設けられてなる第二の回動軸を介して、記一対の取付基板に回動可能に接合され、それぞれの他方の端に、前輪が取り付けられてなる前輪用フレームと、
（４）前記一対の取付基板の外側に配されてなる一対の第二の棒状部材を、少なくとも１本の連結用棒状部材で接合してなり、前記一対の第二の棒状部材のそれぞれの一方の端が、前記一対の取付基板のそれぞれに設けられてなる第三の回動軸を介して、前記一対の取付基板に回動可能に接合され、それぞれの他方の端に、後輪が取り付けられてなる後輪用フレームと、
（５）前記座面用フレームの略前端に設けられてなる第四の回動軸と、前記前輪用フレームの略中央部に設けられてなる第五の回動軸を介して回動可能に接合されてなる、第一の支持部材と、
（６）前記前輪用フレームの略中央部に設けられてなる第六の回動軸と、前記後輪用フレームの前記後輪近傍に設けられてなる第七の回動軸を介して回動可能に接合されてなる、第二の支持部材と、
（７）前記一対の取付基板の内側に設けられ、前記一対の取付基板のそれぞれに設けられてなる貫通孔を通して、付勢手段により外側に付勢され、前記後輪用フレームにおける前記一対の取付基板に対向する側に設けられてなる固定用穴に嵌合する一対のフレーム固定用ピンを有する折りたたみ可能な車椅子であって、
前記一対のフレーム固定用ピンが前記固定用穴に嵌合している状態では、前記後輪用フレームが固定され、前記一対のフレーム固定用ピンが前記固定用穴から抜かれた状態では、前記後輪用フレームの前記第三の回動軸を中心として回動させることにより、前記座面用フレームと、前記前輪用フレームと、前記第一の支持部材と、前記第二の支持部材が、前記後輪用フレームの回動に連動して回動し、折りたたむことができることを特徴とする車椅子。
【請求項２】
前記一対のフレーム固定用ピンは、ワイヤによって接続され、前記ワイヤを引くことにより、前記固定用穴から抜き出し、前記車椅子の固定状態を解除可能であることを特徴とする、請求項１に記載の車椅子。
【請求項３】
前記後輪用フレームの前記固定用穴に隣接して傾斜部材が設けられ、折りたたんだ状態から、前記後輪用フレームを回動させる際に、付勢手段により突出した前記一対のフレーム固定用ピンが前記傾斜部材の表面を摺動することにより、付勢方向に反して動き、前記固定用穴の位置に配された際に、付勢手段により前記固定用穴に嵌合することを特徴とする、請求項１または請求項２に記載の車椅子。
【発明の詳細な説明】
【技術分野】
【０００１】  本発明は、折りたたみが可能な構造を有する車椅子に関わり、特に、一つの動作で折たたみが可能で、しかも従来製品よりもコンパクトに折りたためる車椅子に関するものである。
【背景技術】
【０００２】  我が国においては、人口の高齢化により、要介護者が増加しつつある。この問題は、直ちに解決するのが極めて困難な状況にあり、今後は種々の介護関係の製品やサービスの市場が伸長すると思われる。このような背景から、車椅子が様々な場所で使用される機会が多くなることは必至と考えられる。【０００３】  車椅子には、ホイールを回転させることにより、利用者自身が自力で移動するタイプのものがある。しかし、高齢になればなるほど、体力的な面で自力での移動が困難になる場合が増加する。このような課題の解決法の一つとして、電動式の車椅子が実用化されているが、高速での移動が困難であることから、要介護者の長距離の移動には、自動車の利用が必要となることが多い。【０００４】  従って、車椅子を効率的に運用するには、非使用時にはサイズを小さくして、自動車のトランクやシートの一部の隅のような、狭いスペースに積載できることが望ましい。このために、折りたたみが可能な車椅子が市販されている。【０００５】  折りたたみが可能な車椅子の例として、特許文献１や特許文献２には、車椅子を構成するフレームを屈曲させることにより、幅方向の寸法を縮小できる車椅子が開示されている。しかしながら、これらの車椅子は幅方向に折りたたむことから、コンパクト化には限界があるとともに、折りたたみの操作が複雑で、改善の余地がある。
【先行技術文献】
【特許文献】
【０００６】
【特許文献１】  特開２０１２−０３４７８８号公報
【特許文献２】  特開２０１２−１６１４５５号公報
【発明の概要】
【発明が解決しようとする課題】
【０００７】  本発明の課題は、前記の課題に鑑み、従来よりも、コンパクト化が可能で、しかも、折りたたみの操作が簡略な、折りたたみ可能な車椅子を提供することにある。
【課題を解決するための手段】
【０００８】  本発明は、車椅子を構成する略すべてのフレームが、折りたたみの際に連動する構造と、車椅子としての使用時の固定を簡単に解除できる、フレーム固定構造を検討した結果なされたものである。【０００９】  即ち、本発明は、
（１）横用棒状部材の両端に、縦用棒状部材を略垂直に接合してなる、略コ字形状の背もたれ用フレームと、
（２）前記縦用棒状部材の端部のそれぞれに固定して接合されてなる、一対の取付基板と、
（３）略コ字形状を有し、前記一対の取付基板にそれぞれ設けられてなる第一の回動軸を介して、両端部が前記取付基板に回動可能に接合されてなる座面用フレームと、
（４）一対の第一の棒状部材を、少なくとも１本の連結用棒状部材で接合してなり、前記一対の第一の棒状部材のそれぞれの一方の端が、前記一対の取付基板のそれぞれに設けられてなる第二の回動軸を介して、記一対の取付基板に回動可能に接合され、それぞれの他方の端に、前輪が取り付けられてなる前輪用フレームと、
（４）前記一対の取付基板の外側に配されてなる一対の第二の棒状部材を、少なくとも１本の連結用棒状部材で接合してなり、前記一対の第二の棒状部材のそれぞれの一方の端が、前記一対の取付基板のそれぞれに設けられてなる第三の回動軸を介して、前記一対の取付基板に回動可能に接合され、それぞれの他方の端に、後輪が取り付けられてなる後輪用フレームと、
（５）前記座面用フレームの略前端に設けられてなる第四の回動軸と、前記前輪用フレームの略中央部に設けられてなる第五の回動軸を介して回動可能に接合されてなる、第一の支持部材と、
（６）前記前輪用フレームの略中央部に設けられてなる第六の回動軸と、前記後輪用フレームの前記後輪近傍に設けられてなる第七の回動軸を介して回動可能に接合されてなる、第二の支持部材と、
（７）前記一対の取付基板の内側に設けられ、前記一対の取付基板のそれぞれに設けられてなる貫通孔を通して、付勢手段により外側に付勢され、前記後輪用フレームにおける前記一対の取付基板に対向する側に設けられてなる固定用穴に嵌合する一対のフレーム固定用ピンを有する折りたたみ可能な車椅子であって、
前記一対のフレーム固定用ピンが前記固定用穴に嵌合している状態では、前記後輪用フレームが固定され、前記一対のフレーム固定用ピンが前記固定用穴から抜かれた状態では、前記後輪用フレームの前記第三の回動軸を中心として回動させることにより、前記座面用フレームと、前記前輪用フレームと、前記第一の支持部材と、前記第二の支持部材が、前記後輪用フレームの回動に連動して回動すし、折りたたむことができることを特徴とする車椅子である。【００１０】  また、本発明は、前記一対のフレーム固定用ピンは、ワイヤによって接続され、前記ワイヤを引くことにより、前記固定用穴から抜き出し、前記車椅子の固定状態を解除可能であることを特徴とする、前記の車椅子である。【００１１】  また、本発明は、前記後輪用フレームの前記固定用穴に隣接して傾斜部材が設けられ、折りたたんだ状態から、前記後輪用フレームを回動させる際に、付勢手段により突出した前記一対のフレーム固定用ピンが前記傾斜部材の表面を摺動することにより、付勢方向に反して動き、前記固定用穴の位置に配された際に、付勢手段により前記固定用穴に嵌合することを特徴とする、前記の車椅子である。
【発明の効果】
【００１２】  本発明による車椅子は、前記のようにフレーム固定用ピンが接合されたワイヤを引くだけで、固定状態が解除され、車椅子を構成する各フレームが同期して動く構造を具備しているため、折りたたみ操作が極めて簡便である。また、折りたたんだ状態から、使用状態に復帰させる際も、フレーム固定用ピンが前記の傾斜部材を摺動して、フレームの固定用穴に自動的に嵌合する構造となっているので、操作が極めて簡便である。【００１３】  しかも、折りたたみにより、高さ方向の寸法が縮小可能で、極めてコンパクトなサイズとすることができる。
【図面の簡単な説明】
【００１４】
【図１】  本発明に係る車椅子の一例を示す斜視図。
【図２】  本発明に係る車椅子の一例を示す側面図。
【図３】  本発明に係る、後輪用フレームを固定するためのフレーム固定用ピンの取付基板への取付状態の一例を示す図。
【図４】  本発明に係る後輪用フレームを固定するためのフレーム固定用ピンの取付基板への取付状態の詳細の一例を部分断面図で示した図。
【図５】  後輪用フレームに設けられた固定用穴と傾斜部材の詳細の一例を示す斜視図。
【発明を実施するための形態】
【００１５】  次に本発明の実施の形態について、具体的な図を参照しながら、説明する。
【００１６】  図１は、本発明に係る、車椅子の一例を示す斜視図である。図１において、１は背もたれ用フレーム、２は取付基板、３は第一の回動軸、４は座面用フレーム、５は第二の回動部、６は前輪用フレーム、７は前輪、８は第三の回動軸、９は後輪用フレーム、１０は後輪、１１は第四の回動軸、１２は第五の回動軸、１３は第一の支持部材、１４は第六の回動軸、１５は第七の回動軸、１６は第二の支持部材、１７は肘掛、１８は把手である。背もたれ用フレーム１と座面用フレーム４には、それぞれナイロンなどの高強度繊維からなる布を引き渡し、背もたれ及び座面とするが、説明の便宜上、この図においては省略している。
【００１７】  図２は、本発明に係る車椅子の一例を示す側面図である。この図では、車椅子を折りたたむ際の、それぞれのフレームの回動方向を矢印で示した。図２において、１９は肘掛１７の回動軸、２０は座面用フレーム４の回動方向を示す矢印、２１は前輪用フレーム６の回動方向を示す矢印、２２は後輪用フレーム９の回動方向を示す矢印、２３は第一の支持部材１３の回動方向を示す矢印、２４は第二の支持部材１６の回動方向を示す矢印、２５は肘掛１７の回動方向を示す矢印、２６はフレーム固定用ピンの収納部である。
【００１８】  フレーム固定用ピンとフレーム固定用ピン収納部２６の構成は後述するが、フレーム固定用ピンを、後輪用フレーム１０に設けられてなる、嵌合穴（図示せず）抜くと、後輪用フレーム１０は、第三の回動軸８を中心に矢印２２に方向に回動可能となり、この動作に連動して、座面用フレーム４、前輪用フレーム６、第一の支持部材１３、第二の支持部材１６、肘掛１７がそれぞれに矢印の方向に回動し、車椅子を折りたたむことができる。
【００１９】  図３は、本発明に係る、後輪用フレーム９を固定するためのフレーム固定用ピンの、取付基板２への取付状態の一例を示す図である。図において、２７はワイヤである。また、図４は、本発明に係る、後輪用フレーム９を固定するためのフレーム固定用ピンの、取付基板２への取付状態の詳細の一例を部分断面図で示した図である。図４において、２８はフレーム固定用ピンを付勢する手段である圧縮バネ、２９はフレーム固定用ピンである。
【００２０】  図４に示したように、フレーム固定用ピン２９は、車椅子の使用状態では、圧縮バネ２８により付勢され、収納部２６の外側、つまり図における右側に突き出され、後輪用フレーム９に設けられた固定用穴３０に嵌合し、第３の回動軸８が動かないように固定される。なお、図４に示したナットは、ワイヤ２７の張り具合や、フレーム固定用ピン２９の位置の微調整のために用いられる。
【００２１】  図５は、後輪用フレーム９に設けられた固定用穴３０と傾斜部材の詳細の一例を示す斜視図である。図５において、３１は傾斜部材である。図５に示したように固定用穴３０の近傍に傾斜部材３１を設けることにより、車椅子を折りたたんだ状態から使用状態に復帰するために、後輪用フレーム９を回動させると、収納部２６から突出した状態のフレーム固定用ピン２９は、傾斜部材３１の図における右端に当接し、傾斜部材３１の表面に沿って摺動することにより、収納部２６の内側に収納され、固定用穴３０の位置を通過する際に、圧縮バネ２８によって付勢され、固定用穴３０に嵌合し、車椅子全体が使用状態に固定される。
【００２２】  以上に説明したように、本発明によれば、簡略な構造を有し、簡単な操作で、折りたたみが可能な車椅子を提供することが可能となり、車椅子の運用の幅の拡大に寄与するところは極めて大きい。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２３】１・・・背もたれ用フレーム    ２・・・取付基板    ３・・・第一の回動軸
４・・・座面用フレーム    ５・・・第二の回動部    ６・・・前輪用フレーム
７・・・前輪    ８・・・第三の回動軸    ９・・・後輪用フレーム    １０・・・後輪
１１・・・第四の回動軸    １２・・・第五の回動軸    １３・・・第一の支持部材
１４・・・第六の回動軸    １５・・・第七の回動軸    １６・・・第二の支持部材
１７・・・肘掛    １８・・・把手    １９・・・肘掛の回動軸
２０・・・座面用フレームの回動方向を示す矢印
２１・・・前輪用フレームの回動方向を示す矢印
２２・・・後輪用フレームの回動方向を示す矢印
２３・・・第一の支持部材の回動方向を示す矢印
２４・・・第二の支持部材の回動方向を示す矢印
２５・・・肘掛の回動方向を示す矢印    ２６・・・収納部    ２７・・・ワイヤ
２８・・・圧縮バネ    ２９・・・フレーム固定用ピン    ３０・・・固定用穴
【図１】
2014184106.tif 000003
【図２】
2014184106.tif 000004
【図３】
2014184106.tif 000005
【図４】
2014184106.tif 000006
【図５】
2014184106.tif 000007